(57)【特許請求の範囲】
【請求項１】
モーアデッキの横端部の刈草排出口に、前記刈草排出口からの刈草を横外方に案内するディスチャージカバーを備えるサイドディスチャージモーアであって、
刈草の放出方向変更部材を、前記ディスチャージカバーの天井部の横方向中間部に備えて、前記刈草排出口から刈草の放出方向と交差し且つ前記放出方向変更部材のモーアデッキ側における前記ディスチャージカバーの部分に配置される横軸心周りに上下揺動自在に取り付け、
前記ディスチャージカバーの天井部に沿った非作用位置、及び前記ディスチャージカバーの天井部から横外方斜め下方に向いた作用位置に、前記放出方向変更部材の位置を変更する位置変更機構を備え、
前記ディスチャージカバーの天井部に前記放出方向変更部材を収容可能な凹部を設けてあるサイドディスチャージモーア。
【請求項２】
前記ディスチャージカバーを、前記刈草排出口から横外方に延出して刈草を横外方に案内する作用姿勢、及び前記刈草排出口から上方に延出する非作用姿勢に変更可能に、前後方向の横軸心周りに上下揺動自在に取り付けてある請求項１に記載のサイドディスチャージモーア。
【請求項３】
前記放出方向変更部材の前後方向の幅を、前記ディスチャージカバーの前後方向の幅よりも短く設定してある請求項１又は２に記載のサイドディスチャージモーア。
【請求項４】
運転部に左右一対の操縦レバーを備え、左右一対の前記操縦レバーのうち前記サイドディスチャージカバーが設けられた側の前記操縦レバーに隣接して、前記放出方向変更部材を前記非作用位置と前記作用位置とで位置変更する開閉レバーが設けられている請求項１〜３のいずれかに記載のサイドディスチャージモーア。
【発明の詳細な説明】
【技術分野】
【０００１】
本発明は、モーアデッキの横端部の刈草排出口に、前記刈草排出口からの刈草を横外方に案内するディスチャージカバーを備えるサイドディスチャージモーアに関するものである。
【背景技術】
【０００２】
従来のモーアには、そのディスチャージカバーがモーアデッキに対して上下に揺動可能に取り付けられているものが知られている。
この種類のモーアとしては、例えば、ディスチャージカバーをモーアデッキに対して起立させた格納姿勢と、モーアデッキから横外側に向かって延出させた使用姿勢とに自在に切換えられるように構成されているものや（特許文献１参照）、あるいは、刈取作業が行われる地面の凹凸状態によってモーアデッキが左右に傾くため、そのモーアデッキの左右の傾き具合に合わせて自動的に上下方向に揺動することにより、刈草が遠くへ飛び出すのを防止するディスチャージカバーを備えるものが挙げられる（特許文献２参照）。
また別のモーアとしては、ディスチャージカバーから、自由揺動自在に自重で垂下する規制板を備えるものや（特許文献３参照）、モーアデッキの刈草排出口の開閉を行うためのプレートを備えるものも知られている（特許文献４参照）。
【先行技術文献】
【特許文献】
【０００３】
【特許文献１】特開２００９−２１３４３７号公報（図５及び図６の５０参照）
【特許文献２】特開平７−３９２２４号公報（図３及び図４の４９参照）
【特許文献３】実開昭５７−１４６８３４号公報
【特許文献４】米国特許第６，８７４，３０９号明細書
【発明の概要】
【発明が解決しようとする課題】
【０００４】
草の形状、大きさ、重さ等の違いによって、モーアの刈草排出口から排出される刈草の飛び方は変わる。例えば、水分をあまり多く含んでいない刈草は、水分をより多く含んでいる刈草よりも相対的に軽いため、より遠くへ飛び出す傾向がある。そのため、刈草の状態が異なる場合においても、刈草の放出方向を一様にすることができるようにするという面で改善の余地があった。
【０００５】
従って本発明の目的は、作業者が刈草の状態に合わせて刈草の放出方向を自在に調整することができるサイドディスチャージモーアを提供することにある。
【課題を解決するための手段】
【０００６】
本発明に係る第１特徴構成は、モーアデッキの横端部の刈草排出口に、前記刈草排出口からの刈草を横外方に案内するディスチャージカバーを備えるサイドディスチャージモーアであって、刈草の放出方向変更部材を、前記ディスチャージカバーの天井部の横方向中間部に備えて、前記刈草排出口から刈草の放出方向と交差し且つ前記放出方向変更部材の前記モーアデッキ側における前記ディスチャージカバーの部分に配置される横軸心周りに上下揺動自在に取り付け、前記ディスチャージカバーの天井部に沿った非作用位置、及び前記ディスチャージカバーの天井部から横外方斜め下方に向いた作用位置に、前記放出方向変更部材の位置を変更する位置変更機構を備え、前記ディスチャージカバーの天井部に前記放出方向変更部材を収容可能な凹部を設けてある点にある。
【０００７】
〔作用及び効果〕
本構成によれば、放出方向変更部材を上下方向に揺動させることによって、刈草の放出方向を自在に調整することができる。
これにより、例えば水分を多く含む湿った草を刈り取るときには、放出方向変更部材を上方に揺動させて刈草の排出に対する抵抗を少なくして、刈草を横外方に排出し易くする。
一方水分をそれほど多く含まない草を刈り取るときには、放出方向変更部材を下方に揺動させて刈草の排出に対する抵抗を大きくすることによって、刈草を横外方から下外方に排出し易くして、横外方に排出され難くする。尚、放出方向変更部材を作用位置にするとき、放出方向変更部材は、ディスチャージカバーの天井部から横外方斜め下方に向いているため、刈草が放出方向変更部材に引っ掛かり難い。そのため、刈草は放出方向変更部材で詰まらず、スムーズに下外方に排出される。
このように、刈草の放出方向を調整すれば、刈草の状態が異なる場合でも、刈草の放出方向を一様にすることができる。
【０００８】
また、本構成によれば、放出方向変更部材を作用位置にすると、ディスチャージカバーと放出方向変更部材によってディスチャージカバーの内部に小さな箱状空間が形成される。これにより、モーアデッキの刈草排出口から排出された刈草は箱状空間に入り、箱状空間から下側に向けて排出され易くなる。そのため、モーアデッキの刈草排出口の外側に箱状空間が形成されている点、及び放出方向変更部材が横外方斜め下方に向いている点により、例えば道路際で刈取作業を行う際、モーアデッキの刈草排出口での刈草の滞留を防止しながら、且つ刈草が道路上にまで飛ばされることを防止しながら作業を実施することができる。このとき、刈草はモーアの移動に伴いディスチャージカバーの下側に列状に積まれていく。
また、本構成によれば、放出方向変更部材を非作用位置に変更すると、放出方向変更部材を凹部に収容することができるため、刈草がディスチャージカバーから放出される際に、刈草が放出方向変更部材に引っ掛かる虞がなく円滑に放出される。
【０００９】
本発明に係る第２特徴構成は、前記ディスチャージカバーを、前記刈草排出口から横外方に延出して刈草を横外方に案内する作用姿勢、及び前記刈草排出口から上方に延出する非作用姿勢に変更可能に、前後方向の横軸心周りに上下揺動自在に取り付けてある点にある。
【００１０】
〔作用及び効果〕
本構成によれば、ディスチャージカバーを前後方向の横軸心周りに上下揺動自在に取り付けてあるため、刈取作業を行わないときには、ディスチャージカバーを非作用姿勢にして、モーアの横幅を小さくすることができる。これにより、刈取作業を実施しないときの特に狭い場所でのモーアの移動が容易になる。この場合、ディスチャージカバーに放出方向変更部材が設けられているので、ディスチャージカバーを非作用姿勢にすると放出方向変更部材も一緒に非作用姿勢となるため、放出方向変更部材を別途非作用姿勢にする必要がない。
【００１１】
本発明に係る第３特徴構成は、前記放出方向変更部材の前後方向の幅を、前記ディスチャージカバーの前後方向の幅よりも短く設定する点にある。
【００１２】
〔作用及び効果〕
本構成によれば、刈草の全てが放出方向変更部材によって案内されるわけではなく、少なくとも刈草の一部は、刈草の放出方向における放出方向変更部材の前又は後側を抜けて排出される。
そのため、例えば、放出方向変更部材の前後方向の幅がディスチャージカバーの前後方向の幅と略同じに設定されているような場合と異なり、刈草の逃げ道が放出方向変更部材の前又は後側に確保されているため、刈草が放出方向変更部材に引っ掛かり滞留して刈草の放出路を閉塞してしまう状況を防止することができる。
【００１３】
本発明に係る第４特徴構成は、運転部に左右一対の操縦レバーを備え、左右一対の前記操縦レバーのうち前記サイドディスチャージカバーが設けられた側の前記操縦レバーに隣接して、前記放出方向変更部材を前記非作用位置と前記作用位置とで位置変更する開閉レバーが設けられている点にある。
【００１４】
【図面の簡単な説明】
【００１５】
【図１】乗用型草刈機の全体側面図
【図２】乗用型草刈機の全体平面図
【図３】モーアの平面図
【図４】ディスチャージカバーの分解斜視図
【図５】放出方向変更部材の非作用位置（ａ）及び作用位置（ｂ）を示すディスチャージカバーの縦断背面図
【図６】ディスチャージカバーの横断平面図
【図７】放出方向変更部材の開閉動作を行う開閉レバー及びケーシングの縦断右側面図
【図８】ディスチャージカバーを刈草排出口から上方に延出する非作用姿勢にしたときの縦断背面図
【図９】別実施形態に係る放出方向変更部材の縦断背面図
【発明を実施するための形態】
【００１６】
以下、本発明の実施形態を図面に基づいて説明する。
（乗用型草刈機）
図１及び図２に示すように、本発明に係る乗用型草刈機は、左右一対の前車輪１，１と左右一対の後車輪２，２とを有した走行機体と、この走行機体の車体フレーム３の前車輪１と後車輪２との間で運転部床１６の下側にリンク機構４を介して装着されたサイドディスチャージモーア２０（以下、単にモーア２０と称する）とを備えている。
【００１７】
走行機体は、左右一対の前車輪１，１と左右一対の後車輪２，２とを備える他、車体後部に設けたエンジン５を有した原動部と、運転座席６及び左右一対の操縦レバー７，７を有した運転部と、運転座席６の後側近くに位置した転倒保護枠８と、左右の後車輪２，２を支持する伝動装置９と、伝動装置９の前部に位置する動力取り出し軸１０の駆動力をモーア２０の回転ブレード駆動機構３０に伝達する回転軸１１とを備えている。
【００１８】
左右の前車輪１は、車体フレーム３の前部に連結された前輪支持フレーム１２の端部に前輪支持フォーク１３を介して縦軸心周りに揺動自在に支持されている。左右の前車輪１は、前輪支持フォーク１３と共に前輪支持フレーム１２に対して自由に揺動する。左右の後車輪２，２は、伝動装置９が備える一対の静油圧式無段変速装置（図示せず）によって各別に駆動され、左右一対の操縦レバー７，７による一対の静油圧式無段変速装置の各別な変速操作によって各別に前進側及び後進側に変速され、かつ停止操作される。
【００１９】
リンク機構４は、車体フレーム３とモーア２０のモーアデッキ２１の前端側とにわたって連結されて、モーア２０の前端側を車体フレーム３に昇降自在に連結している左右一対の前揺動リンク４ａ，４ａと、車体フレーム３とモーアデッキ２１の後端側とにわたって連結されて、モーア２０の後端側を車体フレーム３に昇降自在に連結している左右一対の後揺動リンク４ｂ，４ｂと、左右両側において前揺動リンク４ａ，４ａと後揺動リンク４ｂ，４ｂとにわたって連結された連動リンク４ｃ，４ｃとを備えている。
【００２０】
モーアデッキ２１の上面の前後左右の端部には、図示しない貫通孔を備えたブラケット１７ａ，１７ａ，１７ｂ，１７ｂが立設されており、前揺動リンク４ａ，４ａの端部と連動リンク４ｃ，４ｃの前端とを枢支連結する連結ピン１８ａが前方の左右のブラケット１７ａ，１７ａの図示しない貫通孔に挿通連結されると共に、後揺動リンク４ｂ，４ｂの端部と連動リンク４ｃ，４ｃの後端とを枢支連結する連結ピン１８ｂが後方の左右のブラケット１７ｂ，１７ｂの図示しない貫通孔に挿通連結されて、モーア２０が吊り下げ支持されている。
【００２１】
支軸４ｄから突設した駆動アーム１９に単動型の昇降シリンダ１４が連結され、圧油供給によって昇降シリンダ１４が伸長作動することでリンク機構４が車体フレーム３に対して上昇駆動され、排油によって昇降シリンダ１４が短縮作動することでリンク機構４が車体フレーム３に対して自重下降するように構成されている。
【００２２】
昇降シリンダ１４を短縮及び伸長作動させることによって、モーア２０を下降させてゲージ輪２５を地面に略接地させて刈取作業を実施する作業姿勢と、モーア２０を上昇させてゲージ輪２５を地面から上昇させて刈取作業を実施しない非作業姿勢とに切換えることができる。
【００２３】
モーア２０を作業姿勢にして走行機体を走行させると、モーア２０は、図３に示すモーアデッキ２１の内部に位置する３枚の回転ブレード２２Ｌ，２２Ｃ，２２Ｒによって草や芝の刈り処理を行い、刈草を各回転ブレード２２Ｌ，２２Ｃ，２２Ｒの回転によって発生した風によってモーアデッキ２１の内部をモーアデッキ２１の右端に位置する刈草排出口２３に搬送して、ディスチャージカバー２４から走行機体横外方に放出する。
【００２４】
図３に示すように、モーア２０は、モーアデッキ２１の横方向での中央部の前側と後側とにモーアデッキ２１の横方向に並べて設けた一対の接地ローラ３６，３６，３７，３７を備えている。
【００２５】
前側の左右一対の接地ローラ３６，３６は、モーアデッキ２１の前縦壁２１ｂに連結された左右一対の支持部材３５ａに支軸３８を介して遊転自在に支持されている。前側の左右一対の接地ローラ３６，３６は、地面に隆起部などの障害物があると、この障害物に乗り上がってモーアデッキ２１の前端側を障害物に突っ込まないように接地支持しながら障害物を乗り越えていく。
【００２６】
後側の左右一対の接地ローラ３７，３７は、バキュームプレート５０と後縦壁２１ｃとにわたって連結された左右一対の支持部材３５ｂに支軸３９を介して遊転自在に支持されている。後側の左右一対の接地ローラ３７，３７は、地面に隆起部などの障害物があると、この障害物に乗り上がってモーアデッキ２１の後端側を障害物に突っ込まないように接地支持しながら障害物を乗り越えていく。
【００２７】
（モーア）
図３に示すように、モーア２０は、モーアデッキ２１と、３枚の回転ブレード２２Ｒ，２２Ｃ，２２Ｌと、ゲージ輪２５とを備える他、モーアデッキ２１の内部に各回転ブレード２２Ｒ，２２Ｃ，２２Ｌよりも前側に設けたバッフルプレート４０と、モーアデッキ２１の内部後側に各回転ブレード２２Ｒ，２２Ｃ，２２Ｌの先端が描く回転軌跡の後部側に沿うように形成したバキュームプレート５０と、モーアデッキ２１の右端に形成された刈草排出口２３と、刈草排出口２３からの刈草を横外方に案内するディスチャージカバー２４とを備えている。
【００２８】
モーアデッキ２１は、天井部２１ａと、この天井部２１ａの前縁部からモーアデッキ２
１の下方向きに延出した前縦壁２１ｂと、天井部２１ａの後縁部からモーアデッキ２１の下向きに延出した後縦壁２１ｃと、天井部２１ａの横端部からモーアデッキ２１の下向きに延出した横縦壁２１ｄとによって構成され、自走機体の下方向きに開口した容器形になっている。
【００２９】
モーアデッキ２１の刈草排出口２３は、天井部２１ａの右端と前縦壁２１ｂの右端とバキュームプレート５０の円弧部分５０Ｒの右端とによって形成されている。
【００３０】
後縦壁２１ｃはバキュームプレート５０の右及び左側の円弧部分５０Ｒ，５０Ｌにわたって連結された状態で左右中央の円弧部分５０Ｃの後方に設けられている。
【００３１】
３枚の回転ブレード２２Ｒ，２２Ｃ，２２Ｌは、モーアデッキ２１の内部に横方向に並列配置されている。尚、３枚の回転ブレード２２Ｒ，２２Ｃ，２２Ｌのうち、モーアデッキ２１の横方向での中央に位置する回転ブレード２２Ｃが、少し前方に偏位するように平面視で三角配置される。回転ブレード２２Ｌは、刈草排出口２３から最も離れて存在し、且つ刈草流動方向での最上手に位置する。回転ブレード２２Ｒは、刈草排出口２３の最も近くに位置し、且つ刈草流動方向での最下手に位置する。
【００３２】
回転ブレード２２Ｒ，２２Ｃ，２２Ｌのそれぞれは、モーアデッキ２１の天井部２１ａにベアリング支持ケースで成る図示しない支持部材を介して回転自在に支持された駆動軸２７，２７，２７の下端部に回転自在に支持されている。これにより、回転ブレード２２Ｒ，２２Ｃ，２２Ｌのそれぞれは、駆動軸２７，２７，２７のモーアデッキ２１上下方向の縦軸芯ＸＲ，ＸＣ，ＸＬ周りに駆動軸２７，２７，２７と共に回転駆動する。尚、回転ブレード２２Ｒ，２２Ｃ，２２Ｌのそれぞれは、その両端部に設けた切断刃２８と、各切断刃２８の背後側に設けた起風羽根２９とを備えている。
【００３３】
バッフルプレート４０は、バッフルプレート４０の長手方向での複数箇所に連結された図示しない取り付け部材によってモーアデッキ２１に連結されている。バッフルプレート４０は、バッフルプレート４０の長手方向に並べて連結ボルト４６によって連結された２枚の分割帯板によって構成してある。
【００３４】
バキュームプレート５０は、回転ブレード２２Ｒ，２２Ｃ，２２Ｌの縦軸芯ＸＲ，ＸＣ，ＸＬのそれぞれと同心の円弧部分５０Ｒ，５０Ｃ，５０Ｌを、回転ブレード２２Ｒ，２２Ｃ，２２Ｌの回転軌跡に沿うように並設配置した形状を有する。
【００３５】
エンジン５からの駆動力は、回転軸１１によって回転ブレード駆動機構３０に伝達される。回転ブレード駆動機構３０に伝達された駆動力は、回転ブレード２２Ｃの駆動軸２７を駆動すると共に、３つの駆動軸２７，２７，２７にわたって巻き掛けられているベルト３１を介して、回転ブレード２２Ｒ，２２Ｌのそれぞれの駆動軸２７，２７を駆動する。これにより、各回転ブレード２２Ｒ，２２Ｃ，２２Ｌは、それぞれの縦軸芯ＸＬ，ＸＣ，ＸＲ周りに回転駆動する。
【００３６】
各回転ブレード２２Ｒ，２２Ｃ，２２Ｌによって切断処理された刈草は、各回転ブレード２２Ｒ，２２Ｃ，２２Ｌの起風羽根２９によって発生した風によって、バキュームプレート５０及びバッフルプレート４０に案内されてモーアデッキ２１の内部を刈草排出口２３の位置する横一端側に搬送されて、刈草排出口２３からディスチャージカバー２４に案内されてモーアデッキ２１の横外側に放出される。
【００３７】
（ディスチャージカバー）
図４及び図５に示すように、ディスチャージカバー２４は、前後方向に所定の間隔をおいてディスチャージカバー２４の上面側に設けた２つの連結アーム５２ａ，５２ｂと、前後方向に延びる支軸５３とを介して、モーアデッキ２１の刈草排出口２３側の天井部２１ａの上面に設けた２つのブラケット５４ａ，５４ｂに対して枢支連結されている。これにより、ディスチャージカバー２４は、刈草排出口２３から横外方に延出して刈草を横外方に案内する作用姿勢（図５参照）と、刈草排出口２３から上方に延出する非作用姿勢（図８参照）とに手動で変更可能に支軸５３の軸心周りに上下揺動可能に取付けられる。支軸５３には、その外周に巻き付けられるようにスプリング５５が設けられて、ディスチャージカバー２４は、スプリング５５によって作用姿勢に付勢されており、このためディスチャージカバー２４が作用姿勢において上下方向にバタつかない。また、ディスチャージカバー２４を非作用姿勢としたときは、図示しないロック機構によってその姿勢が保持される。
【００３８】
図４及び図６に示すように、ディスチャージカバー２４は、天井部２４ａと、この天井部２４ａの前縁部から下方向きに延出した前縦壁２４ｄと、天井部２４ａの後縁部から下向きに延出した後縦壁２４ｅとを備える。図６に示すように、前縦壁２４ｄの左右方向の幅は、後縦壁２４ｅの左右方向の幅よりも長く設定されている。また、図６に示すように、平面視において前縦壁２４ｄと後縦壁２４ｅとは平行に配置されるものではなく、前縦壁２４ｄと後縦壁２４ｅとが横外方ほど前後方向の幅が広がるように配置される。
【００３９】
図４に示すように、天井部２４ａの後部には、斜め後ろ下方に傾斜する傾斜部２４ｂが設けられている。傾斜部２４ｂの右端を構成する、非傾斜部２４ｃの横外方後端から後縦壁２４ｅの横外方上端にわたる部分と、傾斜部２４ｂの左端を構成する、非傾斜部２４ｃの横内方後端から後縦壁２４ｅの横内方上端にわたる部分のそれぞれには、緩やかに湾曲する湾曲部２４ｆ，２４ｆが設けられている。
【００４０】
ディスチャージカバー２４の天井部２４ａの横方向中間部には、その非傾斜部２４ｃと傾斜部２４ｂとにわたって前後方向に長い長孔形状の開口５１が形成されており、その開口５１の中に放出方向変更部材７０が配置される。そして、ディスチャージカバー２４の開口５１全体を上から覆うように断面Ｌ字状のカバー部材５７がディスチャージカバー２４の上面に設けられる。このとき、カバー部材５７に形成した２つのＬ字状の切欠き部５７ａ，５７ｂのそれぞれに、放出方向変更部材７０の２つのＬ字型ブラケット７２ａ，７２ｂが入り込み、カバー部材５７の縦壁５７ｃがディスチャージカバー２４の前縦壁２４ｄの側面と接する状態で設置される。尚、カバー部材５７は、ディスチャージカバー２４の天井部２４ａの形状に沿うように、傾斜部５７ｄと非傾斜部５７ｅとを備える。
【００４１】
尚、放出方向変更部材７０及び開口５１の前端と前縦壁２４ｄとの間、並びに、放出方向変更部材７０及び開口５１の後端と後縦壁２４ｅとの間には所定の間隔を設けてある。即ち、放出方向変更部材７０の前後方向の幅を、ディスチャージカバー２４の前後方向の幅よりも短く設定してある。
【００４２】
放出方向変更部材７０は、長方形状の平板であり、その大きさは、開口５１の中に収容可能にその大きさが開口５１よりも少し小さく設定されている。また、放出方向変更部材７０は、ディスチャージカバー２４の２つの連結アーム５２ａ，５２ｂの右端のそれぞれに支点軸５６ａ，５６ｂを介して枢支連結される２つのＬ字型ブラケット７２ａ，７２ｂを備える。尚、図４に示すように、放出方向変更部材７０の後部には、斜め後ろ下方に傾斜する傾斜部７０ａが設けられており、放出方向変更部材７０が後述する非作用位置にある場合、ディスチャージカバー２４の非傾斜部２４ｃと傾斜部２４ｂとの境界線Ｌ１と、放出方向変更部材７０の非傾斜部７０ｂと傾斜部７０ａとの境界線Ｌ２とが同じ直線上に位置する。
【００４３】
放出方向変更部材７０の前側のＬ字型ブラケット７２ａと、ディスチャージカバー２４の前側の連結アーム５２ａの左端との間にスプリング７１を配置しており、スプリング７１の作用により放出方向変更部材７０は、カバー部材５７と当接するように上方に付勢される。
【００４４】
放出方向変更部材７０の後側のＬ字型ブラケット７２ｂは、リンクアーム５８を介して、支軸５３の後端に設けた回転アーム５９の一端と連結される。回転アーム５９は支軸５３の軸心周りに回転可能であり、回転アーム５９の他端には、接続部材としてのヨーク６０ａを介してケーブル６１のインナーワイヤー６２が連結される。
【００４５】
図５に示すように、ケーブル６１の先端部分は、モーアデッキ２１の刈草排出口２３側の天井部２１ａの上面に前後方向に延設されて固定された固定板６３に対して、ステー６４を介してボルト６５及びナット６６で固定される。
【００４６】
また、図７に示すように、ケーブル６１の基端部分は、右の操縦レバー７における握り部７ａよりも下側の上下向き部分７ｂに着脱可能に固定される箱形状のケーシング８０に接続されている。ケーシング８０の内部には、支軸８１が設けられており、その支軸８１に対して、Ｌ字状の連結部材８２が枢支連結される。Ｌ字状の連結部材８２は、支軸８１の軸心周り、即ち前後方向に回転可能に設けられており、連結部材８２の一端に接続部材としてのヨーク６０ｂを介してケーブル６１のインナーワイヤー６２が連結される。
【００４７】
連結部材８２の他端には、ボルト８３を介して開閉レバー８６が枢支連結され、開閉レバー８６は、ボルト８３の軸心周り、即ち左右方向に揺動できるように構成されており、その上端部の操作部が右の操縦レバー７の握り部７ａの横隣に位置するように配備されている。ケーシング８０の天井部８０ａには、開閉レバー８６を収容可能な凹状の第１係止部８４及び第２係止部８５、並びに第１係止部８４と第２係止部８５と連通する連通路９２が形成されている。開閉レバー８６は、ボルト８３の外周に巻き付けられるスプリング８７によって、第１及び第２係止部８４，８５への入り込み側に付勢されている。
【００４８】
開閉レバー８６を第１係止部８４から第２係止部８５に移動させる際は、開閉レバー８６をボルトの軸心周りに図７の紙面垂直方向に少し揺動させて、開閉レバー８６を第１係止部８４から外した後、連通路９２に沿って支軸８１の軸心周りに図７の紙面左方向に揺動させて、第２係止部８５の中に入り込ませる。作業者が開閉レバー８６を離すと、開閉レバー８６はスプリング８７の付勢力によって第２係止部８５に当接した状態でその中に収容保持される。また、開閉レバー８６を第２係止部８５から第１係止部８４に移動させる際は、同じように開閉レバー８６をボルト８３の軸心周りに図７の紙面垂直方向に少し揺動させて、開閉レバー８６を第２係止部８５から外した後、連通路９２に沿って支軸８１の軸心周りに図７の紙面右方向に揺動させて、第１係止部８４の中に入り込ませれば、開閉レバー８６はスプリング８７の付勢力によって第１係止部８４に当接した状態でその中に収容保持される。
【００４９】
開閉レバー８６を、第２係止部８５から第１係止部８４に移動させると、放出方向変更部材７０は、図５（ａ）及び図７の実線部分に示すように、スプリング７１の作用で上方に操作されてカバー部材５７と当接して、非作用位置となる。このとき、本実施形態では、放出方向変更部材７０が、カバー部材５７とディスチャージカバー２４の開口５１によって形成される凹部８８に収容されて、放出方向変更部材７０の下面とディスチャージカバー２４の天井部２４ａの下面とが面一状態となる。
【００５０】
また、図７の破線部分に示すように、開閉レバー８６を、第１係止部８４から第２係止部８５に移動させると、図５（ｂ）に示すように、ケーブル６１のインナーワイヤー６２
が横内方に引っ張られて、回転アーム５９が支軸５３の軸心周りに所定の角度で回転し（図５（ｂ）の紙面反時計方向に回転）、リンクアーム５８を横外方に所定距離移動させる。リンクアーム５８が横外方に移動すると、放出方向変更部材７０が支点軸５６ａ，５６ｂを結ぶ破線Ｌ３（図４参照）周りに所定の角度で回転するため（図５（ｂ）の紙面時計方向に回転）、放出方向変更部材７０がディスチャージカバー２４の天井部２４ａから横外方斜め下方に向いた作用位置に変更される。
【００５１】
以上の構成により、放出方向変更部材７０は、ディスチャージカバー２４の天井部２４ａの横方向中間部に備えられ、刈草排出口２３から刈草の放出方向（図６の白抜き矢印）と交差し且つ放出方向変更部材７０のモーアデッキ２１側におけるディスチャージカバー２４の部分に配置される横軸心（図４における２つの支点軸５６ａ，５６ｂを結ぶ破線Ｌ３）の周りに上下揺動自在に取り付けられる。
【００５２】
そして、リンクアーム５８、回転アーム５９、ケーブル６１、ケーシング８０、連結部材８２及び開閉レバー８６を備えて構成される位置変更機構によって、放出方向変更部材７０を、ディスチャージカバー２４の天井部２４ａに沿った非作用位置、及びディスチャージカバー２４の天井部２４ａから横外方斜め下方に向いた作用位置に変更できるように構成される。
【００５３】
放出方向変更部材７０を作用位置にすると、ディスチャージカバー２４の前縦壁２４ｄ及び後縦壁２４ｅと、放出方向変更部材７０によってディスチャージカバー２４の内部に小さな箱状空間Ｓが形成される。
【００５４】
〔別実施形態〕
（１）前述の実施形態のケーシング８０における係止部の数については、必要に応じて任意に設定することができる。例えば、図示しないが、前述の実施形態における第１係止部８４と第２係止部８５との間にさらにもう１つの係止部を設けて、放出方向変更部材７０を第１作用位置、第２作用位置、非作用位置に変更可能に設定するように構成しても良い。また、開閉レバー８６の基部等に摩擦保持機構等を設けて放出方向変更部材７０を無段階でその傾斜角度を調節できるように構成しても良い。
【００５５】
（２）前述の実施形態では、右の操縦レバー７にケーシング８０及び開閉レバー８６を設けた例を示したが、左の操縦レバー７にケーシング８０及び開閉レバー８６を設けてもよく、操縦レバー７以外の箇所、例えば運転座席６の横側部の操作レバー等が設けられた右又は左のサイド操作パネル等に設けてもよい。右又は左のサイド操作パネルに開閉レバー８６を設けた場合、ケーシング８０を廃止して開閉レバー８６の基部の機構をサイド操作パネルの下面側でブラケット等を介して支持させて、開閉レバー８６の操作部をサイド操作パネルの上側に延出するように構成してもよい。
【００５６】
（３）前述の実施形態では、放出方向変更部材７０及び開口５１の前端と前縦壁２４ｄとの間、並びに、放出方向変更部材７０及び開口５１の後端と後縦壁２４ｅとの間には所定の間隔を設けてあるが、放出方向変更部材７０及び開口５１の前端と前縦壁２４ｄとの間、又は、放出方向変更部材７０及び開口５１の後端と後縦壁２４ｅとの間のいずれか一方にのみ所定の間隔を設けて構成しても良い。
また、前述の実施形態の放出方向変更部材７０の前後方向の幅を、刈草排出口２３の前後方向の幅Ｔよりも短くして、尚且つ、放出方向変更部材７０の前後方向の位置を刈草排出口２３の前後方向の幅Ｔ内に設定するように構成しても良い。尚、図６に示すように、刈草排出口２３の前後方向の幅Ｔとは、バキュームプレート５０の円弧部分５０Ｒの右端と、バッフルプレート４０の右端からの延長線との間をいう(図６参照)。
【００５７】
（４）前述の実施形態における放出方向変更部材７０の形状については、長方形状の平板に限定されるものではなく、他にも例えば、複数の突起が所定の間隔で前後方向に並べて配置される「くし状」の部材で構成しても良く、この場合には、放出方向変更部材７０に複数の隙間が設けられることになり刈草の逃げ道が確保されるため、放出方向変更部材７０の前後方向の幅を、ディスチャージカバー２４の前後方向の幅と略同じ長さに設定することができる。
【００５８】
（５）図９に示すように、前述の実施形態における放出方向変更部材７０を、スプリング８９の作用により作用位置（図９の破線部分）に付勢して、ケーブル６１のインナーワイヤー６２を横内方に引っ張ることで放出方向変更部材７０を非作用位置（図９の実線部分）に変更するように構成しても良い。
本構成においては、ケーブル６１を支持するケーブル受け７３が、モーアデッキ２１の刈草排出口２３側の天井部２１ａの上面に設けた第１縦壁７７に対して、支点７５周りに回動可能に枢支連結されている。またケーブル受け７３は、第１縦壁７７よりも横内方側に設けた第２縦壁７８に対して、トグルばね７６を介して連結されている。
図９に示すように、ディスチャージカバー２４を作用姿勢としたとき、トグルばね７６は、ケーブル受け７３を図９の紙面時計方向に回転させるように付勢する。このとき、ケーブル受け７３は、その側面に設けられるストッパー７４が第１縦壁７７の側面に当接することで、所定の傾斜に保持される。
一方、図示しないが、ディスチャージカバー２４を図８に示すような非作用姿勢とすると、ケーブル受け７３が支点７５周りに図９の紙面反時計方向に回転する。このとき、トグルばね７６は、そのデッドポイントを越えるとばね付勢方向を反転させて、ケーブル受け７３を図９の紙面反時計方向に回転させるように付勢する。
本構成によれば、放出方向変更部材７０を作用位置としたとき、例えば、大量の刈草が刈草排出口２３から排出される場合、その圧力にスプリング８９の付勢力が負けてインナーワイヤー６２のテンションが緩み、放出方向変更部材７０が上方に揺動しようとする。そのため、刈草は放出方向変更部材７０で詰まることなくスムーズに排出される。
【産業上の利用可能性】
【００５９】
本発明は、前後輪の間にモーアを支持した乗用型草刈機だけでなく、前輪の前側にモーアを備える乗用型草刈機にも適用可能である。
【符号の説明】
【００６０】
２１    モーアデッキ
２１ａ  天井部
２３    刈草排出口
２４    ディスチャージカバー
２４ａ  天井部
７０    放出方向変更部材
８８    凹部
【図１】
0005406772.tif 000002
【図２】
0005406772.tif 000003
【図３】
0005406772.tif 000004
【図４】
0005406772.tif 000005
【図５】
0005406772.tif 000006
【図６】
0005406772.tif 000007
【図７】
0005406772.tif 000008
【図８】
0005406772.tif 000009
【図９】
0005406772.tif 000010